(57)【特許請求の範囲】
【請求項１】
開口部と、開閉可能な蚊投入口を有する収容体と、
誘引餌を収納し、誘引餌表面を被覆する人工皮膚を備えた給餌容器と、
前記給餌容器を保温する保温器を有する誘引試料と、
を備え、
前記開口部に隙間なく装着された前記誘引試料を有し、
前記収容体は、直径７０ｍｍ以上１００ｍｍ以下、長さ１３０ｍｍ以上２６０ｍｍ以下、体積５００ｍＬ以上１Ｌ以下の、開口部を有する円筒形状の容器であり、該開口部に誘引試料が装着された防蚊性試験装置。
【請求項２】
前記収容体の開口部には封止部材を設け蚊の出入りができないように隙間なく前記誘引試料を装着され、収容体の少なくとも一部は透明または半透明な材質からなり、蚊投入口は収容体中央部に設けられ、興奮物質の充満を防ぐための排気口を収容体に設け、興奮物質を供給するための供給口を収容体に備えた請求項１または２に記載の防蚊性試験装置。
【請求項３】
前記誘引試料は、内部に液体の誘引餌貯留した給餌容器の表面を人工皮膚で蓋をし、人工皮膚表面に試験試料を密着し、給餌容器を保温器に取り付けた請求項１から３のいずれかに記載の防蚊性試験装置。
【請求項４】
請求項１から３のいずれかに記載の防蚊性試験装置を４５±２０度に傾けて設置する工程と、蚊を一度に収容体内に投入する工程と、興奮物質を適宜注入する工程と、前記試料の効果を計測する計測工程を備える防蚊性試験方法。
【発明の詳細な説明】
【技術分野】
【０００１】  本発明は、防蚊機能を確認する装置に関する。
詳しくは、防蚊成分を加工された物質について、防蚊機能についての判断を行える装置に関する。
【背景技術】
【０００２】  人間社会の生活において、不快害虫や衛生害虫など、生物に対して様々な影響を及ぼす虫が存在する。中でも蚊は伝染病を媒介する恐れもあり、蚊に対する防虫機能は重要視されており、防虫成分を用いた様々な製品が開発されている。
しかし、そのような製品が防虫機能を持つということを示すには、客観的な視点からの試験結果が求められている。そのため、本発明のように防虫機能を客観的に判断するための装置が求められている。【０００３】  例えば、特許文献１の試験方法について、羽化後１〜２週間かつ未吸血の蚊を布ケージに入れ、実験者の片方の腕に袋状にした試験布をはめて差し入れ、定めた時間の止まり数と吸血行動の動作を示した蚊の個体数を数えて忌避指数を求めることが記載されている。
特許文献２には羽化後１〜２週間かつ未吸面の蚊を布ケージに入れ、試験品と対照品でそれぞれ処理したラットを各々金網袋に入れて固定し、３分後の止まり数と吸血行動の動作を示した蚊の個体数を数えて、試験品と対照区それぞれの数から、忌避指数を求めることが記載されている。
特許文献３の試験装置は収容体外面に一対のレールを設け、試料ホルダをそのレールに摺動させることにより試料を収容体内部に露出させるものである。【０００４】
【特許文献１】特開２００５−０２３４３９号公報
【特許文献２】特開２００６−１６９２０９号公報
【特許文献３】特許第６２００１２６号
【発明の概要】
【発明が解決しようとする課題】
【０００５】  特許文献１及び２の試験について、人体やラットなどを用いるため、その日の生体の状態が影響することになり、客観的な評価を得るのが難しい。
特許文献３の試験装置は収容体外面に一対のレールを設けるため、収容体の形状は少なくともレールを形成できる分だけ大きくなる。そして、少なくともレール形成面は４角型または一対のレールを形成できるに十分な面積を備えた形状になる。その結果、収容体内面の試料の露出面は、露出面が形成された面のほんの一部となる。そうすると、収容体内部の蚊の密度を増加させるにはより多くの蚊が必要となる。
本発明では、防虫機能を客観的に判断するための装置として、レールを設けることがなく、収容体内面に占める試料の露出面の面積をより多くすることにより、より精度の高い防蚊試験向け装置の提供を課題とする。
【課題を解決するための手段】
【０００６】  本発明の防蚊性試験装置は、開口部１１と蚊投入口２以外は閉じられ、開口部１１にクッション材を備えることで誘引試料を隙間なく装着することが出来、それにより蚊投入口２以外から蚊の出入りが不可となる、誘引餌への誘引が起きやすくなるよう後述の通り大きさと形状が指定された収容体１
及び、自在に開閉し、試験中の蚊の出入りが不可となるよう作られている蚊投入口２    及び、収容体１内部にさらされる、液体である誘引餌１２を保持する為の給餌容器７の蓋となる人工皮膚５、誘引餌１２と人工皮膚５を含めた給餌容器７の温度を調節する保温器６、人工皮膚５と接触する試験試料４により構成された直径６０ｍｍの誘引試料１４、  を備える。
【発明の効果】
【０００７】  本発明では、防虫機能を客観的に判断するための装置として、レールを設けることがなく、収容体内面に占める試料の露出面の面積をより多くすることにより、より精度の高い防蚊試験向け装置を提供する。
【図面の簡単な説明】
【０００８】
【図１】本発明の防蚊性試験装置の正面図
【図２】本発明の防蚊性試験装置の側面図
【図３】本発明の防蚊性試験装置のうち試験試料部分の詳細図
【図４】本発明の防蚊性試験装置を用いた防蚊機能確認試験の実施する際の設置図
【発明を実施するための形態】
【０００９】  試験装置の特徴としては、円筒形容器端面に円形試料を接続、容器内のそれぞれの蚊は基本的に円筒形容器の長さ方向に移動することで試料面に到達し、容器内の場所による試料への距離が均一化できる。そのため、試験の精度が向上し、より多くの蚊を誘引する試験結果の場合には多くの蚊を誘引し、また蚊を誘引できない試験結果の場合にはより少ない蚊しか寄らない。
【００１０】  以下、図面を参照して、本発明の実施の形態について詳細に説明する。なお、この開示で蚊は、ハエ目糸角亜目カ科に属する昆虫を指す。
【００１１】  図１は、本発明の防蚊性試験装置の正面図、図２は本発明の防蚊性試験装置の側面図である。防蚊性試験装置は、蚊投入口２が形成され、開口部１１に、試験試料４、人工皮膚５、保温器６、給餌容器７及びそこに投入する誘引餌１２から構成される誘引試料１４を装着することにより、蚊投入口２以外は蚊が通過するのを不能に閉じられ、内部に蚊を収容しうる収容体１から構成されている。
開口部１１はクッション材やプラスチック材等を用いて、誘引試料１４を蚊の出入りができないように隙間なく装着できる。
収容体１は直径７０ｍｍ以上１００ｍｍ以下、長さ１３０ｍｍ以上２６０ｍｍ以下、体積５００ｍＬ以上１Ｌ以下の円筒の容器で作成される。収容体１は外側から蚊投入口２を覆いうる板状の蚊投入口カバー３を備える。
【００１２】  収容体１の少なくとも一部は、透明また半透明な材質で構成され、内部が確認できる。収容体１には蚊投入口２、給気口９を備える。興奮物質を収容体１に送り込む給気チューブ８を給気口９に差し込む。興奮物質の過剰な充満を防ぐため、収容体１の側面には排気口１０を備える。
【００１３】  蚊投入口カバー３は、蚊投入口２を閉じることで試験中は外部と完全に遮断できる。蚊投入口カバー３の形状はどのようなものでもよい。スライド式とする場合は透明または半透明の材質で構成し、内部の確認を阻害しないものとする。栓状の蚊投入カバーとする場合はゴムまたはプラスチック製の栓を使用し隙間なく遮断する。
【００１４】  図３は誘引試料１４の詳細を示す。誘引試料１４は試験試料４、人工皮膚５、保温器６、給餌容器７及びそこに投入する誘引餌１２から構成される。
【００１５】  試験試料４は、主に防虫処理が施された織物、または、防虫処理が施されていない織物である。試料は織物に限らず、誘引餌１２を完全に遮断しないかつ蚊が吸血を行う際に支障が無い物質であれば不織布、フィルム、紙または樹脂板でも良い。
【００１６】  人工皮膚５は、液体である人工血液を保持するため、豚や羊から採取した腸ケーシング、プラスチックパラフィンフィルムや人工ケーシング等である。なお、蚊からの吸血率を一定とするために、豚や羊から採取した腸ケーシングの塩を洗い流し、一晩水に浸したものを用いるほうがよい。
【００１７】  保温器６は、誘引餌１２の液体を定めた温度に保つ、図示しない温度センサとヒータを備える。そして温度ヒータとセンサは図示しない制御装置に接続される。保温器６は上部が開かれている給餌容器７を備えており、誘引餌１２を注入できる。誘引餌１２は主に馬や牛の血液を主成分とする液体を用いる。誘引餌１２の温度を動物の体温程度である３４±２度に保つように制御する。
【００１８】  誘引試料１４は、人工皮膚５で保温器６が備えている給餌容器７の上部を覆うことで密閉し、給餌容器７にシリンジ等を用いて空気が入らないよう誘引餌１２を注入し、保温器６と試験試料４が給餌容器７に密着するように固定することによって作成される。
【００１９】  試験手順の１例を示す。まず、防蚊性試験装置を準備する。給餌容器７は前項の手順にて作成し、収容体１と組み合わせる。防蚊性試験装置に興奮物質を供給するための給気チューブ８を給気口９から取り付ける。蚊投入口２より蚊を投入し、興奮物質を適宜供給する。試験試料に静止している蚊数を測定する等を行うことで、防蚊性能を評価する。
【００２０】  防蚊性試験装置は給餌容器７と収容体１が、レールにより可働するのではなく、収容体１の開口部１１に試験試料４を装着した保温器６の大きさにクッション材とプラスチック板を用いて調整し隙間なく装着、またはネジで隙間なく装着することにより位置を保持する。蚊投入口２が閉まっていることを確認する。これにより、蚊が試験開始時から終了時まで自由に出入りすることが不可となり、密閉空間での試験が可能となる。また、この装置について直角部・平面部を極力無くすことにより、直角部・平面部に蚊が集まることを回避することが出来る。
【００２１】  図４は実際に試験を実施する際の設置図を示す。試験を実施する際は防蚊試験装置を４５±２０度に傾けて固定して試験を行う。
【００２２】  蚊投入口２から蚊を投入する際はチューブ等に蚊を採取し、一気に吹き込む等の方法で行う。このような方法により、開始時間のずれを可能な限り少なくできる。投入する蚊の数は試験状況によって調整を行う。
【００２３】  給気チューブ８より供給する興奮物質としては炭酸ガスを用いる。供給量が多すぎると蚊が眠ってしまうため、投入量は調整を行う。
【００２４】  防蚊性の評価方法については試験試料４に静止している蚊数を測定する以外にも防蚊機能を付与した試験試料に静止した蚊がノックダウンした数の測定、一定時間経過後の蚊の腹部を潰すことで吸血数の確認など、様々な方法が考えられる。
【実施例】
【００２５】  表１に本発明による防蚊性確認試験と「ＪＩＳ  Ｌ１９５０−１  生地の防蚊性試験方法」における蚊の誘引能力の差を示す。なお、最多蚊静止率は蚊の静止数／全体の蚊投入数にて算出した。
なお、「ＪＩＳ  Ｌ１９５０−１  生地の防蚊性試験方法」の収容体は２００ｍｍ×２００ｍｍ×３８０ｍｍで体積が１５．２Ｌの直方体、試料面は直径６０ｍｍを収容体の１つの面に並べて３箇所配置し、蚊の投入が３０頭であるのに対し、本発明での収容体は直径７０ｍｍ、長さ１３０ｍｍ、体積が５００ｍＬの円筒、試料面が直径６０ｍｍを１箇所、蚊の投入が２０頭とした。
本発明では、収容体内部の各蚊から試料までの直線距離が短く、蚊に対する誘引性能が上がっているため試験試料による忌避性能差が出やすく、試験の精度が上がる。【００２６】
【表１】
0006858324.tif 000002
蚊の頭数を５頭、１０頭、１５頭に減らした場合においても、同等に約６割の最多蚊静率が得られる。【００２７】  表２に本発明の根拠として、直径７０ｍｍ、長さ１３０ｍｍ、体積５００ｍＬにて作成された収容体１を用いた結果及び直径７０ｍｍ、長さ２６０ｍｍ、体積１Ｌにて作成された収容体１を用いた結果を記載する。最多蚊静止率は前述と同様の方法で算出した。
収容体内部の全面積に対して誘引試料１４の面積の割合が大きく、収容体の体積に対して蚊の密度が高く、収容体内のどの位置からでも誘引試料１４までの直線距離が短い。【００２８】
【表２】
0006858324.tif 000003
【符号の説明】１．収容体
２．蚊投入口
３．蚊投入口カバー
４．試験試料
５．人工皮膚
６．保温器
７．給餌容器
８．給気チューブ
９．給気口
１０．排気口
１１．開口部
１２．誘引餌
１３．液体注入口およびプラスチック栓
１４．誘引試料
【要約】
【課題】  既存防蚊性確認試験装置について、幅広い虫を対象としているため、加えて装置の大きさや形状が指定されておらず、特定の生物に対して精度の高い試験を行うことが出来ない。
【解決手段】  開口部と、開閉可能な蚊投入口を有する収容体と、
誘引餌を収納し、誘引餌表面を被覆する人工皮膚を備えた給餌容器と、
前記給餌容器を保温する保温器を有する誘引試料と、
を備え、
前記開口部に隙間なく装着された前記誘引試料を有し、
前記収容体は、直径７０ｍｍ以上１００ｍｍ以下、長さ１３０ｍｍ以上２６０ｍｍ以下、体積５００ｍＬ以上１Ｌ以下の、開口部を有する円筒形状の容器であり、該開口部に誘引試料が装着された防蚊性試験装置。
【選択図】なし【図１】
0006858324.tif 000004
【図２】
0006858324.tif 000005
【図３】
0006858324.tif 000006
【図４】
0006858324.tif 000007